(57)【要約】【課題】  キノコ育成に必要な設備の省設備化を図ることのできるキノコ育成用照明器具を提供する。【解決手段】  キノコ育成用照明器具１は、器具本体２を備えている。器具本体２は、略長方形状の照明光源取付部２ａと、照明光源取付部２ａの一方の長辺の中央部分から短辺に平行に延びる棒状の攪拌翼取付部２ｂと、照明光源取付部２ａの他方の長辺の中央部分から短辺に平行に延びる棒状の支持部２ｃとからなっている。照明光源取付部２ａの下面には、照明光源取付部２ａの長手方向に等間隔に３つのＬＥＤ光源３が取り付けられている。また、攪拌翼取付部２ｂには、下方に突出させて長方形状の攪拌翼５が取り付けられている。攪拌翼取付部２ｂの上面には、攪拌翼取付部２ｂの自由端と支持部２ｃの自由端とを結ぶ線上の中央部分にモータ１０の回転軸１０ａが固定されている。【選択図】  図１
2009189299.tif 000002
【特許請求の範囲】
【請求項１】
支持部材と、前記支持部材によって水平状態で支持された器具本体と、前記器具本体に取り付けられた照明光源及び攪拌翼と、前記支持部材に対して前記器具本体を水平状態に維持したまま回動又は並進させる機構とを備えた、キノコ育成用照明器具。
【請求項２】
前記照明光源が発光ダイオード光源である、請求項１に記載のキノコ育成用照明器具。
【請求項３】
前記器具本体の回動がモータを用いて行われる、請求項１に記載のキノコ育成用照明器具。
【請求項４】
前記照明光源と前記攪拌翼とが、前記モータの回転軸の前記器具本体への固定点を挟んで配置される、請求項３に記載のキノコ育成用照明器具。
【請求項５】
前記器具本体の並進が、モータによって駆動されるボールネジ、ベルト、チェーン、又は、エアシリンダを用いて行われる、請求項１に記載のキノコ育成用照明器具。
【請求項６】
前記照明光源からの光を反射させる反射板をさらに備えた、請求項１に記載のキノコ育成用照明器具。
【請求項７】
支持部材と、前記支持部材によって水平状態で支持された複数の器具本体と、前記各器具本体に取り付けられた照明光源及びファンとを備えた、キノコ育成用照明器具。
【請求項８】
前記照明光源が発光ダイオード光源である、請求項７に記載のキノコ育成用照明器具。
【請求項９】
発光ダイオード用回路が、抵抗を用いた定電圧型である、請求項８に記載のキノコ育成用照明器具。
【請求項１０】
前記ファンが抵抗部周辺に取り付けられた、請求項９に記載のキノコ育成用照明器具。
【発明の詳細な説明】
【技術分野】
【０００１】
本発明は、キノコ、特に、本シメジ、ブナシメジ、エノキタケ等の育成に好適な照明器具に関する。
【背景技術】
【０００２】
キノコの栽培工程は、培地攪拌、詰込み、殺菌、接種、培養、芽だし、育成の各工程からなっている。そして、キノコの育成に際して、品種によっては、特定の波長域の光を照射することによってその成長が促進されることから、工場における生産の際の栽培工程において適当な照明光を効果的に使用することにより、キノコの株の高さや傘などの部位を選択的に成長させることができることが知られている。
【０００３】
キノコの量産工場においては、キノコ育成用照明器具から照射される照明光を、被照射体であるキノコの栽培ビンを収容したコンテナ全体に均一に照射するために、前記コンテナを、搬送コンベアに載せて、照明光の下を移動させる方法などが採られていた（例えば、特許文献１参照）。
【０００４】
一方、キノコの成長時には、成長に伴って発生した二酸化炭素がキノコの周辺に熱と共に滞留し、これにより、キノコの成長速度が抑制されてしまう。従って、新しい酸素（空気）を供給すると共に、発生した二酸化炭素及び熱を除去する必要があり、このためには、コンテナ全体にファンなどによって気流を発生させる（送風する）ことが効果的であることが知られている（例えば、特許文献２参照）。
【特許文献１】特開２００７−６８４４０号公報
【特許文献２】特開２００５−２３７２６６号公報
【発明の開示】
【発明が解決しようとする課題】
【０００５】
しかし、上記のような搬送コンベアや送風用のファンを用いるものにあっては、キノコ育成に必要な設備が大掛かりなものになってしまい、初期投資コストと膨大な電力を消費するという問題点がある。
【０００６】
そこで、本発明者らは、従来から用いられている栽培棚を使用してキノコ育成に必要な設備の省設備化を図るべく鋭意研究を重ね、キノコ、特に、本シメジ、ブナシメジ、エノキタケ等の育成に好適な照明器具の発明をするに至った。また、キノコの生産農家では電気代と電気設備の関係から蛍光灯の点灯/消灯を一定サイクルで実施していたが、これら蛍光灯の点灯/消灯を制御する、タイマーやマグネットコンダクタなどの電気設備が別途必要であった。
【０００７】
本発明は、従来技術における前記課題を解決するためになされたものであり、キノコ育成に必要な設備の省設備化を図ることのできるキノコ育成用照明器具を提供することを目的とする。
【課題を解決するための手段】
【０００８】
前記目的を達成するため、本発明に係るキノコ育成用照明器具の第１の構成は、支持部材と、前記支持部材によって水平状態で支持された器具本体と、前記器具本体に取り付けられた照明光源及び攪拌翼と、前記支持部材に対して前記器具本体を水平状態に維持したまま回動又は並進させる機構とを備えたことを特徴とする。
【０００９】
このキノコ育成用照明器具の第１の構成によれば、支持部材に対して器具本体を定期的に回動又は並進させることにより、照明光源の位置を２つのコンテナ間で入れ換えることができるので、コンテナに照明光源からの照明光を均一に照射することができる。また、器具本体を回動又は並進させるときの攪拌翼の移動によって気流が発生し、これにより、キノコへ新しい酸素（空気）を供給すると共に、キノコの周りに滞留した二酸化炭素や熱を除去することもできる。その結果、従来のような大掛かりな搬送コンベアや送風用のファンが不要となるので、キノコ育成に必要な設備の省設備化を図ることができる。
【００１０】
前記本発明のキノコ育成用照明器具の第１の構成においては、前記照明光源が発光ダイオード光源であるのが好ましい。
【００１１】
また、前記本発明のキノコ育成用照明器具の第１の構成においては、前記器具本体の回動がモータを用いて行われるのが好ましい。また、この場合には、前記照明光源と前記攪拌翼とが、前記モータの回転軸の前記器具本体への固定点を挟んで配置されるのが好ましい。
【００１２】
また、前記本発明のキノコ育成用照明器具の第１の構成においては、前記器具本体の並進が、モータによって駆動されるボールネジ、ベルト、チェーン、又は、エアシリンダを用いて行われるのが好ましい。
【００１３】
また、前記本発明のキノコ育成用照明器具の第１の構成においては、前記照明光源からの光を反射させる反射板をさらに備えているのが好ましい。この好ましい例によれば、照明光源からの光を反射板によって反射させて、コンテナ内のキノコに十分な光を照射する（直下照度を上げる）ことができると共に、隣のコンテナ内のキノコに照明光源からの光が照射されない（光が漏れない）ようにすることができる。そして、このように、隣のコンテナ内のキノコに照明光源からの光が照射されない（光が漏れない）ようにすることにより、当該隣のコンテナ内のキノコにおいて傘径のバラツキ等の発生を防止することができる。
【００１４】
本発明に係るキノコ育成用照明器具の第２の構成は、支持部材と、前記支持部材によって水平状態で支持された複数の器具本体と、前記各器具本体に取り付けられた照明光源及びファンとを備えたことを特徴とする。
【００１５】
このキノコ育成用照明器具の第２の構成によれば、器具本体とコンテナを、１対１で対応させて、コンテナに照明光源からの照明光を均一に照射することができる。また、ファンにより、キノコへ新しい酸素を供給すると共に、キノコの周りに滞留した二酸化炭素や熱を除去することができる。その結果、従来のような大掛かりな搬送コンベアや送風用のファンが不要となるので、キノコ育成に必要な設備の省設備化を図ることができる。
【００１６】
また、前記本発明のキノコ育成用照明器具の第２の構成においては、前記照明光源が発光ダイオード光源であるのが好ましい。また、この場合には、発光ダイオード用回路が、抵抗を用いた定電圧型であるのが好ましい。この場合にはさらに、前記ファンが抵抗部周辺に取り付けられているのが好ましい。
【発明の効果】
【００１７】
本発明によれば、キノコ育成に必要な設備の省設備化を図ることのできるキノコ育成用照明器具を提供することができる。
【発明を実施するための最良の形態】
【００１８】
以下、実施の形態を用いて本発明をさらに具体的に説明する。
【００１９】
［第１の実施の形態］
まず、図１、図２、図３を参照しながら、本発明の第１の実施の形態のキノコ育成用照明器具について説明する。図１は、本実施の形態におけるキノコ育成用照明器具の使用状態を示す概略側面図、図２は、当該キノコ育成用照明器具を、キノコ側から見た概略図、図３は、本実施の形態のキノコ育成用照明器具に用いられる発光ダイオード（Light Emitting Diode、以下「ＬＥＤ」と称する）光源の制御部を示すブロック図である。
【００２０】
図１、図２に示すように、本実施の形態のキノコ育成用照明器具１は、ヒートシンクを兼ねた器具本体２を備えている。ここで、器具本体２は、略長方形状の照明光源取付部２ａと、照明光源取付部２ａの一方の長辺の中央部分から短辺に平行に延びる棒状の攪拌翼取付部２ｂと、照明光源取付部２ａの他方の長辺の中央部分から短辺に平行に延びる棒状の支持部２ｃとからなっている。照明光源取付部２ａの下面には、照明光源取付部２ａの長手方向に等間隔に照明光源としての３つのＬＥＤ光源３が取り付けられており、それぞれのＬＥＤ光源３の出射側には、当該ＬＥＤ光源３からの光を拡散する拡散部材としての拡散板４が配置されている。攪拌翼取付部２ｂには、下方に突出させて長方形状の攪拌翼５が取り付けられている。
【００２１】
図１に示すように、照明光源取付部２ａの下方と攪拌翼５の下方には、それぞれ、サイズが４５０ｍｍ×４５０ｍｍのコンテナ６が栽培棚７に載置された状態で配置されており、各コンテナ６内には１６個の栽培ビン８が収容されている。尚、図１中、９は栽培ビン８内で芽だしされたキノコを示している。
【００２２】
図１、図２に示すように、攪拌翼取付部２ｂの上面には、攪拌翼取付部２ｂの自由端と支持部２ｃの自由端とを結ぶ線上の中央部分にモータ１０の回転軸１０ａが固定されている。この場合、モータ１０を支持する部材（図示せず）が、本発明の「支持部材」となる。そして、モータ１０の回転軸１０ａを１８０°回動（往復）させることにより、３つのＬＥＤ光源３が取り付けられた照明光源取付部２ａの位置と攪拌翼５の位置を、２つのコンテナ６間で入れ換えることができるようにされている。キノコの育成工程においては、温度１５℃前後、湿度９５％前後、二酸化炭素濃度２０００ｐｐｍ以下の環境下で、１５分ごとに、３つのＬＥＤ光源３が取り付けられた照明光源取付部２ａの位置と攪拌翼５の位置が入れ換えられる。これにより、栽培ビン８が収容された２つのコンテナ６にＬＥＤ光源３からの照明光を均一に照射することができる。また、照明光源取付部２ａの位置と攪拌翼５の位置を入れ換えるときの攪拌翼５の移動によって気流が発生し、これにより、キノコへ新しい酸素（空気）を供給すると共に、キノコの周りに滞留した二酸化炭素や熱を除去することもできる。
【００２３】
ＬＥＤ光源３としては、松下電器産業株式会社製の、高光束でコンパクトな白色ＬＥＤ光源「ＬＵＧＡ（ルーガ）（商品名）」が用いられ、拡散板４の材料としてはアクリル樹脂、ポリカーボネート樹脂等の高分子材料が用いられる。白色ＬＥＤ光源「ＬＵＧＡ」は、複数個のＬＥＤチップを高密度にフリップチップ実装したものであり、８．４ｍｍ×２６．２ｍｍの発光面積を有している。また、拡散板４のサイズは、１５ｍｍ（幅）×４０ｍｍ（長さ）×１ｍｍ（厚み）である。
【００２４】
栽培棚８の上面と器具本体２の下面との間の距離は５００ｍｍであり、攪拌翼５の短辺の長さは２０ｍｍである。
【００２５】
本実施の形態のキノコ育成用照明器具１の構成によれば、以上のように、キノコ育成用照明器具１を水平方向に定期的に回動させるだけで、コンテナ６にＬＥＤ光源３からの照明光を均一に照射することができ、かつ、キノコへ新しい酸素を供給すると共に、キノコの周りに滞留した二酸化炭素や熱を除去することができるので、従来のような大掛かりな搬送コンベアや送風用のファンが不要となる。その結果、キノコ育成に必要な設備の省設備化を図ることができる。
【００２６】
また、本実施の形態のキノコ育成用照明器具１においては、３つのＬＥＤ光源３の周囲に、下方に向かって広がる四角錐台状の反射板１１が配置されている。ここで、反射板１１は、その上端を攪拌翼取付部２ｂ及び支持部２ｃに取り付けることによって固定されており、その下端はコンテナ６のサイズと同じサイズになっている。
【００２７】
反射板１１としては、例えば、四角錐台状のプラスチックケースの内面に反射率の高い白色等の塗料を塗布したものや、ミラーを貼り付けたもの等を用いることができる。
【００２８】
このように、３つのＬＥＤ光源３の周囲に反射板１１を配置することにより、ＬＥＤ光源３からの光を反射板１１によって反射させて、コンテナ６内のキノコ９に十分な光を照射する（直下照度を上げる）ことができると共に、隣のコンテナ６内のキノコ９にＬＥＤ光源３からの光が照射されない（光が漏れない）ようにすることができる。光が隣のコンテナ６に漏れると、当該隣のコンテナ６内のキノコ９において傘径のバラツキ等が発生してしまう。
【００２９】
また、本実施の形態のキノコ育成用照明器具１においては、ＬＥＤ光源３に対してパルス電流により点灯と消灯を繰り返す制御（点滅制御）が行われる。図３に示すように、ＬＥＤ光源３の制御部は、ＡＣ１００ＶをＤＣ１２Ｖに変換するＡＣ／ＤＣコンバータ１２と、ＡＣ／ＤＣコンバータ１２に電気的に接続されたＰＷＭ（Pulse Width Modulation）回路１３とを備えている。ＰＷＭ回路１３で生成されるパルス電流のＰＷＭ波形の点灯周波数は１ｋＨｚ以上（具体的には、５６ｋＨｚ）、前記パルス電流のオン／オフデューティー比は６０％以上（具体的には、８０％）に設定されている。尚、このＬＥＤ用回路は、コストの低減化を図るために、抵抗２５を用いた定電圧型となっている。冬季には工場内の温度が１５℃以下になるが、このように抵抗２５を用いた定電圧型とすることにより、抵抗２５からの発熱で低温時に蛍光灯と同等の温度効果を得ることもできる。
【００３０】
このように、本実施の形態のキノコ育成用照明器具１においては、長寿命のＬＥＤ光源３に対してパルス電流により点滅制御が行われるので、光源寿命を長くすると共に、消費エネルギーをより小さく抑えることができる。また、パルス電流の点灯周波数を１ｋＨｚ以上としたことにより、キノコに対しＬＥＤ光源３のオン／オフによる効果的なちらつき（光刺激）を与えて、キノコの生育（生体反応）を促すことができる。また、パルス電流のデューティーサイクル比のオンの比率を６０％以上としたことにより、キノコの傘径及び株高さを適度な寸法（パッケージ・ラッピングが容易な規格偏差内）に保つことができる。
【００３１】
以上のような構成のキノコ育成用照明器具１を用いてキノコを育成し、当該キノコの傘径を測定した。図４に、累積度数分布として示した測定結果のグラフを示す。図４は、パルス電流の点灯周波数を５６ｋＨｚ、デューティーサイクル比のオンの比率を８０％に設定したときのデータである。図４には、攪拌翼５が有る場合（σ０）と無い場合（σ１）についてのデータが示されている。図４に示すように、攪拌翼５が無い場合には、育成したキノコの傘径のバラツキが大きくなることが分かる。
【００３２】
尚、本実施の形態においては、ＬＥＤ光源３として、白色ＬＥＤ光源「ＬＵＧＡ」が用いられているが、照明光源は、必ずしもこれに限定されるものではなく、ＬＥＤ光源であればよい。ＬＥＤ光源としては、この他に、例えば、０．５ｍｍ角以下のＬＥＤチップを数十個高密度に実装して単一光源とみなすものや、０．５ｍｍ角以上のＬＥＤチップを１個もしくは複数個実装した光源等がある。また、ＬＥＤ光源は、白色光源に限定されるものではなく、４００〜５００ｎｍの波長域にピークを持つものであればよい。例えば、ＬＥＤ光源として、青色ＬＥＤ光源を用いることもできる。
【００３３】
また、照明光源は必ずしもＬＥＤ光源に限定されるものではなく、例えば、レーザダイオオード（ＬＤ）等を用いてもよい。
【００３４】
また、本実施の形態においては、３つのＬＥＤ光源３が用いられているが、ＬＥＤ光源３の個数は３個に限定されるものではなく、１個、２個又は４個以上であってもよい。
【００３５】
また、本実施の形態においては、ＬＥＤ光源３に対してパルス電流により点灯と消灯を繰り返す制御（点滅制御）を行うようにされているが、本発明において点滅制御は必ずしも必須のものではない。
【００３６】
また、本実施の形態においては、ＬＥＤ光源３の周囲に反射板１１を配置するようにされているが、本発明において反射板１１は必ずしも必須の部材ではない。
【００３７】
また、本実施の形態においては、下方に向かって広がる四角錐台状の反射板１１が用いられているが、反射板の形状は必ずしも四角錐台状に限定されるものではない。反射板としては、例えば、三角錐台状、五角錐台状、六角錐台状等の他の角錐台状又は円錐台状のものであってもよい。また、反射板としては、三角筒状、四角筒状、五角筒状、六角筒状等の角筒状又は円筒状のものであってもよい。また、反射板は、少なくとも、隣のコンテナ６内のキノコ９にＬＥＤ光源３からの光が照射されない（光が漏れない）ようにすることができる位置にあれば足りる。
【００３８】
また、反射板としては、図５、図６に示すような形状のものであってもよい。図５は、本実施の形態における他のキノコ育成用照明器具の使用状態を示す概略側面図、図６は、当該キノコ育成用照明器具を、キノコ側から見た概略図である。尚、図５、図６に示すキノコ育成用照明器具は、図１、図２に示すキノコ育成用照明器具と反射板の形状のみが異なっている。
【００３９】
図５、図６に示すキノコ育成用照明器具においては、３つのＬＥＤ光源３の周囲に、下方に向かって広がるドーム状の反射板１４が配置されている。ここで、反射板１４は、その上端を照明光源取付部２ａ、攪拌翼取付部２ｂ及び支持部２ｃに取り付けることによって固定されており、その下端は直径６４０ｍｍの円形状になっている。そして、かかる構成の反射板１４によっても、ＬＥＤ光源３からの光を反射板１４によって反射させて、コンテナ６内のキノコ９に十分な光を照射する（直下照度を上げる）ことができると共に、隣のコンテナ６内のキノコ９にＬＥＤ光源３からの光が照射されない（光が漏れない）ようにすることができる。
【００４０】
そして、この場合には、反射板１４の反射面を回転放物面にすると共に、ＬＥＤ光源３を１個にし、反射板１４を、その反射面を形成する回転放物面の焦点がＬＥＤ光源３の発光面上に位置するように配置するのが好ましい。このような構成を採用すれば、ＬＥＤ光源３の発光面からの光が、反射板１４の反射面により、回転放物面の回転軸に平行な光として反射され、コンテナ６内のキノコ９に均質に照明される。
【００４１】
［第２の実施の形態］
次に、図７を参照しながら、本発明の第２の実施の形態のキノコ育成用照明器具について説明する。図７は、本実施の形態におけるキノコ育成用照明器具の使用状態を示す概略側面図である。尚、図７において、上記第１の実施の形態の構成部材等と同一の構成部材等については、同一の参照符号を付し、それらの詳細な説明は省略する。
【００４２】
図７に示すように、本実施の形態のキノコ育成用照明器具１５は、ヒートシンクを兼ねた器具本体２’を備えている。器具本体２’の下面にはＬＥＤ光源３が取り付けられており、ＬＥＤ光源３の出射側には、当該ＬＥＤ光源３からの光を拡散する拡散部材としての拡散板４が配置されている。
【００４３】
また、本実施の形態のキノコ育成用照明器具１５においては、ＬＥＤ光源３の周囲に、下方に向かって広がる四角錐台状の、攪拌翼を兼ねた反射板１１が配置されている。ここで、反射板１１は、その上端を器具本体２’に取り付けることによって固定されており、その下端はコンテナ６のサイズと同じサイズになっている。尚、反射板としては、上記第１の実施の形態で説明したような種々の形状のものが考えられる。
【００４４】
器具本体２’の上面には、隣接するコンテナ６間を並進可能な移動部材１６が設けられており、この移動部材１６の並進運動は、移動部材１６に備えられたボールネジ１７をモータ１８によって駆動することにより行われる。そして、移動部材１６の並進運動（器具本体２’の並進運動）により、ＬＥＤ光源３の位置を、隣接するコンテナ６間で入れ換えることができるようにされている。これにより、栽培ビン８が収容された２つのコンテナ６にＬＥＤ光源３からの照明光を均一に照射することができる。また、器具本体２’の並進運動によって反射板１１も並進運動し、これにより、気流を発生させて、キノコへ新しい酸素（空気）を供給すると共に、キノコの周りに滞留した二酸化炭素や熱を除去することもできる。ここで、ボールネジ１７及びモータ１８は、器具本体２’を水平状態で支持する支持部材１９に配設されている。尚、図７中、２０はＬＥＤ光源３の制御部、２１はＬＥＤ光源３と制御部２０とを接続するケーブル、２２はケーブルクランプをそれぞれ示している。
【００４５】
本実施の形態のキノコ育成用照明器具１５においても、上記第１の実施の形態のキノコ育成用照明器具１の場合と同様に、制御部２０（図３参照）を用いて、ＬＥＤ光源３に対してパルス電流により点灯と消灯を繰り返す制御（点滅制御）が行われる。
【００４６】
本実施の形態のキノコ育成用照明器具１５の構成によれば、以上のように、器具本体２’を、ボールネジ１７及びモータ１８を用いて定期的に並進運動させるだけで、コンテナ６にＬＥＤ光源３からの照明光を均一に照射することができ、かつ、キノコへ新しい酸素を供給すると共に、キノコの周りに滞留した二酸化炭素や熱を除去することができるので、従来のような大掛かりな搬送コンベアや送風用のファンが不要となる。その結果、キノコ育成に必要な設備の省設備化を図ることができる。
【００４７】
尚、本実施の形態においても、反射板１１は必ずしも必須の部材ではない。しかし、器具本体２’を並進運動させたときに気流を発生させるための攪拌翼は必要である。
【００４８】
また、本実施の形態においては、ボールネジ１７及びモータ１８を用いて移動部材１６（器具本体２’）を並進運動させるように構成されているが、例えば、モータによって駆動されるベルト、チェーン、又は、エアシリンダなどを用いて移動部材１６（器具本体２’）を並進運動させるように構成してもよい。
【００４９】
［第３の実施の形態］
次に、図８、図９を参照しながら、本発明の第３の実施の形態のキノコ育成用照明器具について説明する。図８は、本実施の形態におけるキノコ育成用照明器具の使用状態を示す概略側面図、図９は、本実施の形態における、器具本体に取り付けられたＬＥＤ光源及びファンを示す概略図である。尚、図８、図９において、上記第１及び第２の実施の形態の構成部材等と同一の構成部材等については、同一の参照符号を付し、それらの詳細な説明は省略する。
【００５０】
図８、図９に示すように、本実施の形態のキノコ育成用照明器具２３は、支持部材１９と、支持部材１９によって水平状態で支持された複数の器具本体２’とを備えている。器具本体２’は、ヒートシンクを兼ねている。各器具本体２’の下面にはＬＥＤ光源３が取り付けられており、ＬＥＤ光源３の出射側には、当該ＬＥＤ光源３からの光を拡散する拡散部材としての拡散板４が配置されている。本実施の形態のキノコ育成用照明器具２３においても、上記第１の実施の形態のキノコ育成用照明器具１の場合と同様に、図３に示す定電圧型のＬＥＤ用回路を用いて、ＬＥＤ光源３に対してパルス電流により点灯と消灯を繰り返す制御（点滅制御）が行われる。また、各器具本体２’の下面には、抵抗２５の周辺に、風量０．１ｍ3／ｍｉｎ程度の弱風を発生させる防水型のファン２４が取り付けられており、このファン２４は、ＡＣ／ＤＣコンバータ１２からの出力電圧によって作動するようにされている（図３参照）。ファン２４としては、例えば、パナソニックコミュニケーションズデバイスカンパニー大分製の車載用FAN UDQFH2H**等を用いることができる。ここで、器具本体２’とコンテナ６とは、１対１で対応している（すなわち、本実施の形態のキノコ育成用照明器具２３は、上記第１及び第２の実施の形態のキノコ育成用照明器具１、１５のような回動や並進を伴わない）。これにより、栽培ビン８が収容された２つのコンテナ６にＬＥＤ光源３からの照明光を均一に照射することができる。尚、器具本体２’のサイズは８０ｍｍ×１５０ｍｍ、ファン２４のサイズは５０ｍｍ×５０ｍｍである。
【００５１】
本実施の形態のキノコ育成用照明器具２３の構成によれば、以上のように、キノコ育成用照明器具２３を、支持部材１９と、支持部材１９によって水平状態で支持された複数の器具本体２’と、各器具本体２’に取り付けられたＬＥＤ光源３と、同じく各器具本体２’に取り付けられた、弱風を発生させるファン２４とにより構成し、キノコ育成用照明器具２３と、栽培ビン８が収容されるコンテナ６とを１対１で対応させたことにより、コンテナ６にＬＥＤ光源３からの照明光を均一に照射することができ、かつ、キノコへ新しい酸素を供給すると共に、キノコの周りに滞留した二酸化炭素や熱を除去することができるので、従来のような大掛かりな搬送コンベアや送風用のファンが不要となる。その結果、キノコ育成に必要な設備の省設備化を図ることができる。
【００５２】
尚、図１、図５、図７、図８においては、栽培棚７にコンテナ６が２つ並べて載置されているように描かれているが、実際には、９００ｍｍ×１３５０ｍｍのサイズの栽培棚７に、１６個の栽培ビン８が収容される４５０ｍｍ×４５０ｍｍのサイズのコンテナ６が６つ並べて載置される。
【産業上の利用可能性】
【００５３】
以上のように、本発明によれば、キノコ育成に必要な設備の省設備化を図ることのできるキノコ育成用照明器具を提供することができる。従って、本発明は、キノコの量産工場における照明器具として有用である。
【図面の簡単な説明】
【００５４】
【図１】図１は、本発明の第１の実施の形態におけるキノコ育成用照明器具の使用状態を示す概略側面図である。
【図２】図２は、本発明の第１の実施の形態におけるキノコ育成用照明器具を、キノコ側から見た概略図である。
【図３】図３は、本発明の実施の形態のキノコ育成用照明器具に用いられる発光ダイオード（ＬＥＤ）光源の制御部を示すブロック図である。
【図４】図４は、本発明の第１の実施の形態におけるキノコ育成用照明器具を用いてキノコを育成した場合の、傘径の累積度数を示すグラフである。
【図５】図５は、本発明の第１の実施の形態における他のキノコ育成用照明器具の使用状態を示す概略側面図である。
【図６】図６は、本発明の第１の実施の形態における他のキノコ育成用照明器具を、キノコ側から見た概略図である。
【図７】図７は、本発明の第２の実施の形態におけるキノコ育成用照明器具の使用状態を示す概略側面図である。
【図８】図８は、本発明の第３の実施の形態におけるキノコ育成用照明器具の使用状態を示す概略側面図である。
【図９】図９は、本発明の第３の実施の形態における、器具本体に取り付けられたＬＥＤ光源及びファンを示す概略図である。
【符号の説明】
【００５５】
１、１５、２３  キノコ育成用照明器具
２、２’  器具本体
２ａ  照明光源取付部
２ｂ  攪拌翼取付部
２ｃ  支持部
３  ＬＥＤ光源
４  拡散板
５  攪拌翼
１０  モータ
１０ａ  回転軸
１１、１４  反射板
１２  ＡＣ／ＤＣコンバータ
１３  ＰＷＭ回路
１６  移動部材
１７  ボールネジ
１８  モータ
１９  支持部材
２０  制御部
２１  ケーブル
２２  ケーブルクランプ
２４  ファン
【図１】
2009189299.tif 000003
【図２】
2009189299.tif 000004
【図３】
2009189299.tif 000005
【図４】
2009189299.tif 000006
【図５】
2009189299.tif 000007
【図６】
2009189299.tif 000008
【図７】
2009189299.tif 000009
【図８】
2009189299.tif 000010
【図９】
2009189299.tif 000011